(57)【要約】複数のセクションを備えた印刷機が、セクションごとに、少なくとも１つのウェブの通走する少なくとも１つの印刷ユニットを備えている。２つのセクションが、印刷機の長手方向に対して横方向で互いにずらして配置されていて、かつ少なくとも部分的に、全幅にわたって延びている共通の折り構造体に向かって生産を行っている。
2004532759.tif 000002
【特許請求の範囲】
【請求項１】
複数のセクション（０１；０２）を備えた印刷機であって、これらのセクション（０１；０２）が、それぞれ少なくとも１つのウェブ（０６；０７）の通走する少なくとも１つの印刷ユニット（０３；０４）を備えており、少なくとも２つのセクション（０１；０２）の印刷ユニット（０３；０４）が、少なくとも部分的に、両方のセクション（０１；０２）に対応配置された折り構造体（１１）に向かって生産を行い、少なくとも部分的に共通の折り構造体（１１）に向かって生産を行う少なくとも２つのセクション（０１；０２）が、印刷機の長手方向（Ｌ）に対して横方向で互いにずらして配置されている形式のものにおいて、
折り構造体（１１）が、印刷機の長手方向（Ｌ）に対して横方向で互いにずらして配置されたセクション（０１；０２）の少なくとも有効全幅（Ｇ）に相当する幅を有していることを特徴とする、複数のセクションを備えた印刷機。
【請求項２】
セクション（０１；０２）が、印刷機の長手方向（Ｌ）でも印刷機の長手方向（Ｌ）に対して横方向でも互いにずらして配置されている、請求項１記載の印刷機。
【請求項３】
セクション（０１；０２）が、相並んで配置されている、請求項１記載の印刷機。
【請求項４】
複数のセクション（０１；０２）を備えた印刷機であって、これらのセクション（０１；０２）が、それぞれ少なくとも１つのウェブ（０６；０７）の通走する少なくとも１つの印刷ユニット（０３；０４）を備えており、少なくとも２つのセクション（０１；０２）の印刷ユニット（０３；０４）が、少なくとも部分的に、両方のセクション（０１；０２）に対応配置された折り構造体（１１）に向かって生産を行い、該折り構造体（１１）が、印刷機の長手方向（Ｌ）でみて少なくとも部分的に共通の該折り構造体（１１）に向かって生産可能な両方のセクション（０１；０２）の間に配置されている形式のものにおいて、
両方のセクション（０１；０２）が、印刷機の長手方向（Ｌ）に対して横方向で互いにずらして配置されていることを特徴とする、複数のセクションを備えた印刷機。
【請求項５】
折り構造体（１１）が、ずらして配置されたセクション（０１；０２）の少なくとも有効全幅（Ｇ）に相当する幅を有している、請求項４記載の印刷機。
【請求項６】
印刷機の長手方向（Ｌ）に対して横方向の、両方のセクションのずれ（Ｖ）が、一度縦折りされる製品の少なくとも２倍の幅に相当する、請求項１または４記載の印刷機。
【請求項７】
印刷機の長手方向（Ｌ）に対して横方向の、両方のセクションのずれ（Ｖ）が、印刷ユニットの印刷装置胴の軸方向でみて少なくとも１つの印刷面（Ａ；Ｂ）の幅に相当する、請求項１または４記載の印刷機。
【請求項８】
セクション（０１；０２）の印刷ユニット（０３；０４）が、特に印刷ユニットの印刷装置胴の軸方向で相並んで配置されたそれぞれ２つの印刷面（Ａ；Ｂ）を印刷するための１倍の幅を有して形成されている、請求項１または４記載の印刷機。
【請求項９】
折り構造体（１１）が、特に印刷ユニットの印刷装置胴の軸方向で相並んで配置された４つの印刷面（Ａ；Ｂ）を処理するための２倍の幅を有して形成されている、請求項８記載の印刷機。
【請求項１０】
折り構造体（１１）が、印刷機の長手方向（Ｌ）に対して横方向で相並んで配置された２つのフォーマ（１２；１３；１７；１８）を備えている、請求項９記載の印刷機。
【請求項１１】
折り構造体（１１）が、印刷機の長手方向（Ｌ）に対して横方向で相並んで配置された２つのフォーマ（１２；１３）と、これらのフォーマ（１２；１３）の上方に配置された別の２つのフォーマ（１７；１８）とを備えている、請求項９記載の印刷機。
【請求項１２】
各フォーマ（１２；１３；１７；１８）が、セクション（０１；０２）を形成する印刷ユニット（０３；０４）の中央垂線の成す平面（Ｍ１；Ｍ２）に対して整合して配置されている、請求項１０または１１記載の印刷機。
【請求項１３】
折り構造体（１１）に、１つの折り装置（２７）が対応配置されている、請求項９記載の印刷機。
【請求項１４】
折り構造体（１１）に、少なくとも２つの折り装置（２７；２８）が対応配置されている、請求項９記載の印刷機。
【請求項１５】
各折り装置（２７；２８）に、少なくとも１つの排出装置（２９；３１）が対応配置されている、請求項１３または１４記載の印刷機。
【請求項１６】
折り構造体（１１）が、印刷機の長手方向（Ｌ）でみて両方のセクション（０１；０２）の間に配置されている、請求項２記載の印刷機。
【請求項１７】
セクション（０１；０２）の印刷ユニット（０３；０４）が、特にそれぞれ印刷ユニットの印刷装置胴の軸方向で相並んで配置された４つの印刷面（Ａ；Ｂ）を印刷するために、２倍の幅を有して形成されている、請求項１または４記載の印刷機。
【請求項１８】
折り構造体（１１）が、特に印刷ユニットの印刷装置胴の軸方向で相並んで配置された６つの印刷面（Ａ；Ｂ）を処理するために、３倍の幅を有して形成されている、請求項１７記載の印刷機。
【請求項１９】
折り構造体（１１）が、印刷機の長手方向（Ｌ）に対して横方向で相並んで配置された３つのフォーマ（１２；１３；１７；１８；４６；４７）を備えている、請求項１７記載の印刷機。
【請求項２０】
折り構造体（１１）が、印刷機の長手方向（Ｌ）に対して横方向で相並んで配置された３つのフォーマ（１２；１３；４６）と、これら３つのフォーマ（１２；１３；４６）の上方に配置された別の３つのフォーマ（１７；１８；４７）とを備えている、請求項１７記載の印刷機。
【請求項２１】
少なくとも１つのセクション（０１；０２）に、ターニングデッキ（３６；３７）が対応配置されており、該ターニングデッキ（３６；３７）が、ずらして配置されたセクション（０１；０２）の全幅（Ｇ）にわたって延びている、請求項１または４記載の印刷機。
【発明の詳細な説明】
【技術分野】
【０００１】
本発明は、請求項１または請求項４の上位概念に記載の形式の、複数のセクションを備えた印刷機に関する。
【０００２】
ドイツ連邦共和国特許出願公開第１９７２８２０７号明細書によって公知の印刷機では、ウェブが、互いに整合して位置する２つのセクションから、これらのセクションの間に配置された２つのターニングタワーに案内され、方向転換され、場合によっては側方にずらされる。
【０００３】
ドイツ連邦共和国特許出願公開第４２０２２５４号明細書には、ウェブの走行方向に対して横向きに移動可能であるフォーマを備えた折り構造体が開示されている。このような折り構造体によって、縦裁ちによって変化可能な幅を有することのできる部分ウェブの縦折り、または種々異なる全幅を有するペーパーウェブの縦折りが可能である。
【０００４】
欧州特許公開第０６２７３１２号明細書によって、それぞれ折り構造体の対応配置された、互いに平行に配置された２つの印刷機が公知である。１運転形式で、印刷の行われたウェブがまとめられ、互いに平行に配置された両方の折り構造体に向かって案内される。
【０００５】
米国特許第３９４２７８２号から水平方向で３つずつ垂直方向で２つずつ相並んで配置されたフォーマを備えた折り構造体のユニットが公知であり、ここでは折ろうとするウェブは、それぞれ３倍の幅を有する、整合して配置された２つのセクションから、３倍の幅を有する共通の折り構造体に進入する。
【０００６】
ドイツ連邦共和国特許出願公開第１９９５８０８９号明細書には、２つの印刷機が開示されており、これらの印刷機は省スペースに構成する目的で水平かつ垂直に相並んで配置されている。１構成では、両方の印刷機に共通の折り機を対応配置することができる。
【０００７】
ドイツ連邦共和国特許出願公開第１９５１６４４５号明細書には、印刷機の長手方向で互いにずらされた２つのセクションを備えた印刷機が開示されており、ここでは共通の折り構造体が、互いに平行に配置されたセクションの間に配置されている。
【０００８】
本発明の課題は、複数のセクションを備えた印刷機を提供することである。
【０００９】
この課題は、請求項１または請求項４の特徴部に記載の構成によって解決される。
【００１０】
特に本発明によって得られる利点は、印刷機を通るウェブ走行における高い確実性および効率が得られ、同時に生産可能な製品において高い融通性が得られることである。
【００１１】
確実で効果的なウェブ案内に関して、できるだけ多くのウェブが真っ直ぐに、つまりターニングもしくは側方移動なしに、印刷機を通って、ウェブに対応配置されたフォーマに走行すると特に有利である。
【００１２】
広幅の印刷ユニットもしくはセクションに代わって、たとえば１倍の幅を有する、ずらして配置された狭幅の複数の印刷ユニットもしくはセクションを備えた本発明の第１実施態様では、たとえば２倍の幅を有する印刷機の生産性と、様々な被印刷物サイズたとえば紙判の使用に関して高い融通性とが得られ、しかも手間のかかる、被印刷物の走行にとって不都合なウェブの移動、または１被印刷物サイズから別の１被印刷物サイズへの変更に基づくフォーマの移動は必要とされない。ここでは装備変更の際の手間が比較的小さく、しかもウェブ破損および／または品質損失のリスクが比較的小さく、投資コストの増加を及ぼすものではない。
【００１３】
セクションに複数のウェブを運転する際に、バルーンフォーマと折り機構に向かう可変のストランドガイドとを備えた折り構造体が形成されていると、生産多様性に関して特に有利である。ストランドが２つの折り装置に向かってまとめられる場合、製作可能な製品の多様性がさらに高められる。
【００１４】
本発明の第２実施態様による、２倍の幅を有する２つのセクションの互いにずらされた配置構成では、２倍の幅を有する、整合して配置された２つのセクションの生産性が実現され、同時に高い生産多様性が実現される。２倍の幅を有する、整合して配置されたセクションとは異なって、ここではウェブの全てのストランドを印刷機のプロフィール（横断面）から側方に案内する必要はない。大小の同じ厚さを有する冊子もしくはストランドを製作しようとする場合、大部分の部分ウェブは、センタリングして真っ直ぐにフォーマに向かって案内することができ、これに対してたとえばごく少数の部分ウェブ、たとえばセクションごとに２つの部分ウェブしか、中央のストランドから外側のストランドの１つにターニングする必要はない。
【００１５】
セクションのずれによって、生産多様性に関する高い融通性と、高い印刷能力つまり生産性とが得られ、同時にウェブ走行において高い確実性が得られる。
【００１６】
次に本発明の実施例を図示し、詳しく説明する。
【００１７】
印刷機、特に輪転印刷機では、それぞれ少なくとも１つの印刷ユニット０３；０４を備えた少なくとも２つのセクション０１；０２が設けられており、ウェブ０６；０７たとえば被印刷物ウェブ０６；０７（判りやすく示すためにセクション０１；０２ごとに１つのウェブ０６；０７しか示していない）が、これらの印刷ユニットを通走する。
【００１８】
各セクション０１；０２の印刷ユニット０３；０４は、それぞれ互いに整合して（一直線上に）相並んで配置されており、しかもこれらは互いに上下にかつ／または前後に配置することができる。図１および図５に示した実施例では、各セクション０１；０２の印刷ユニット０３；０４は、それぞれ整合して水平方向で相前後して配置されているので、各セクション０１；０２の印刷ユニット０３；０４の中央垂線はそれぞれ平面Ｍ１；Ｍ２上に位置する。
【００１９】
セクション０１；０２は、これらの平面Ｍ１；Ｍ２が重ならないように配置されている。有利な実施例では、セクション０１；０２は次のように配置されていて、すなわち平面Ｍ１；Ｍ２がそれぞれ平行に、しかしながら印刷機の長手方向Ｌに対して横方向で、つまり印刷装置胴の軸方向で互いにずれて延びるように、配置されている。ここでは印刷ユニット０３；０４は、同じ水平面上に、たとえばフラット構造（paterrebaubeise）で配置されている。印刷ユニット０３；０４は、それぞれ単独でまたは積み重ねた形式でアーチ型印刷ユニットとして、それぞれ単独でまたは積み重ねた形式でＨ型印刷ユニットとして、いわゆるタワーとして形成するか、もしくは単独または積み重ねた形式の９胴または１０胴式サテライト型印刷ユニットとして形成することができる。
【００２０】
印刷機の長手方向Ｌで各セクション０１；０２の少なくとも１つの端部０８；０９に、両方のセクション０１；０２に対応配置された折り構造体１１が配置されており、この折り構造体１１は、互いにずらしてまたは互いに並んで配置されたセクション０１；０２の少なくとも全幅Ｇにわたって延びている。ここでは全幅Ｇは、印刷ユニット０３；０４もしくはこれらの印刷ユニットの印刷装置胴の、印刷に利用可能な有効幅ｂ０３；ｂ０４のそれぞれ外側に位置する縁部によって定義される、特に有効全幅Ｇと理解することができる。折り構造体１１は、少なくとも２つのフォーマ１２；１３を備えており、ここではそれぞれ１つのフォーマが、平面Ｍ１；Ｍ２に対して整合して、つまりセクション０１；０２もしくは印刷ユニット０３；０４に対してセンタリングして（中心を合わせて）配置されている。
【００２１】
したがって図２に概略的に示したように、それぞれ異なるウェブ幅で、たとえば幅ｂ０６；ｂ０７を有するウェブ０６；０７でも幅ｂ０６′；ｂ０７′を有するウェブ０６′；０７′でも印刷機を運転することができる。ウェブ０６；０７：０６′；０７′の中央は、それぞれ平面Ｍ１；Ｍ２と一致しており、またこのウェブは、側方でずらしたりターニングしたりする必要なしに、ウェブ０６；０７；０６′；０７′の幅ｂ０６；ｂ０７；ｂ０６′；ｂ０７とは無関係に、それぞれのウェブに対応配置されたフォーマ１２；１３に対してセンタリングして該フォーマに向かって走行する。
【００２２】
図１に示した第１実施例では、各セクション０１；０２はそれぞれ相前後して配置された６つの印刷ユニット０３；０４を備えている。セクション０１；０２は、平面Ｍ１；Ｍ２に関して互いにずらして配置されていて、また印刷機の長手方向Ｌに関して折り構造体１１の前後に配置されている。
【００２３】
セクション０１；０２の側方のずれＶは、たとえば印刷ユニット０３；０４の少なくとも１つの有効幅ｂ０３；ｂ０４の値を占めており、この印刷ユニットの有効幅は、詳しくは図示していない印刷装置もしくは印刷装置の印刷装置胴の印刷可能な幅によって規定されており、この有効幅は同時にウェブ０６；０７の最大幅ｂ０６；ｂ０７に相当する。セクション０１；０２の印刷ユニット０３；０４がそれぞれ異なる有効幅ｂ０３；ｂ０４もしくは最大幅ｂ０６；ｂ０７を有している場合、ずれＶは、少なくとも幅ｂ０３と幅ｂ０４との和の半分かもしくは幅ｂ０６と幅ｂ０７との和の半分の大きさに選択される。
【００２４】
製品たとえば新聞が、排出されるまで一度だけ縦折りされる場合、両方のセクション０１；０２のずれＶは、有利には少なくとも２倍の製品幅もしくは印刷装置胴の軸方向でみて２つの印刷面Ａ；Ｂの幅（図３および図４）の値を占める。
【００２５】
印刷ユニット０３；０４は、有利な実施例では、印刷装置胴の長手方向で、１倍（単倍）の幅、つまり２つの印刷面Ａたとえば２つの新聞頁Ａ（図３）の印刷像幅を有する印刷装置胴を備えている。したがって折り構造体１１に進入する手前で縦折りしようとする製品を製作するのに、縦裁ちは必要でない。これによってもまた、種々異なる幅の、それぞれ平面Ｍ１；Ｍ２に対してセンタリングされたウェブ０６；０７；０６′；０７′（図２）を前述の形式で使用することができ、しかも通常は切断される部分ウェブもフォーマ１２；１３も移動させる必要はない。ここでは折り構造体１１は、「２倍の幅」を有して構成されており、つまり折り構造体１１は、セクション０１；０２から相並んで走行する両方のウェブ０６；０７の少なくとも全部で４つの印刷面に相当する幅を有している。したがって大きな手間をかけずに、しかもウェブ０６；０７の走行を不良にすることなしに、種々異なる製品サイズ、たとえば新聞サイズであるライニッシェス（Rheinisches）、ベルリナー（Berliner）、ニューヨークタイムズ（New York Times）などの各サイズ間で、つまり種々異なるロール１４；１６たとえばウェブ０６；０７のための被印刷物ロール１４；１６の間で交換を行うことができる。
【００２６】
ここでは各セクション０１；０２の６つの印刷ユニット０３；０４に、少なくとも６つのロール１４；１６が対応配置されており、これらのロール１４；１６からウェブ０６；０７が繰り出され、印刷機を通って案内される。ロール１４；１６は、印刷ユニット０３；０４と同じ平面かまたは印刷ユニット０３；０４とは異なる平面、たとえば印刷ユニットの下位の平面に配置することができる（図１では印刷ユニット０３；０４の傍に概略的に示した）。
【００２７】
セクション０１のロール１４から印刷ユニット０３を通って案内されるウェブ０６は、生産に際して、セクション２のロール１６から印刷ユニット０４を通って案内されるウェブ０７と同様に、図示していないローラを介して、「ストレート」つまり「真っ直ぐ」なウェブ走行経過で、折り構造体１１のそれぞれウェブに対応配置されたフォーマ１２もしくはフォーマ１３に案内される。このことは、ウェブ０６；０７が対称的に配置されている場合、ウェブ０６；０７の幅ｂ０６；ｂ０７とは無関係に、印刷ユニット０３；０４の有効幅ｂ０３；ｂ０４を超えないことが前提となっている。
【００２８】
それぞれ６つの印刷ユニット０３；０４を備えた図示の実施例の場合に当てはまるような、多数のウェブ０６；０７が設けられている場合、相並んで配置された各フォーマ１２；１３に別のフォーマ１７；１８いわゆるバルーンフォーマ１７；１８（Balloon-Trichter）が対応配置されているような、折り構造体１１の構成が有利である。折り構造体１１は、有利な実施例では、それぞれ相並んで配置された２つのフォーマ１２；１３；１７；１８と、それぞれ互いに上下に配置された２つのフォーマ１２；１７；１３；１８とを備えている。
【００２９】
ターニングされていないできるだけ多くのウェブ０６；０７が真っ直ぐな走行経過を有すること、ならびにたとえば全部で１２個のウェブ０６；０７を４つのフォーマ１２；１３；１７；１８に均等に分配することは、特に確実で障害のないウェブ走行に関して有利である。
【００３０】
ウェブ０６；０７は、フォーマ１２；１３；１７；１８の手前もしくは上方で、たとえばハープローラ（Harfenwalze）１９とフォーマ引込ローラ２０とを介してストランド２１；２２；２３；２４にまとめられ、フォーマ１２；１３；１７；１８によって縦折りされる。ウェブは、単数または複数の折り装置２７；２８を備えた折り機構２６に供給され、そこで横裁ちされ、場合によってはさらに幾度か折られ、単数または複数の排紙装置２９；３１で製品または中間製品として印刷機から排出される。
【００３１】
ストランド２１；２２；２３；２４は、これらに対応配置された折り装置２７，２８の数および構造と、折り構造体１１におけるストランドガイドと、折り機構２６における排出装置２９；３１の数とに応じて、種々異なる多数の製品または中間製品に加工することができる。
【００３２】
折り構造体１１および折り機構２６のための、本発明の第１実施例（図１）の第１形態（図３）では、折り構造体１１がハープローラ１９（図示した）と４つのフォーマ１２；１３；１７；１８とを備えており、折り機構２６が単個の折り装置２７（概略的に示した）を備えており、この折り装置２７は単個の排出装置２９に製品排出を行う。
【００３３】
ストランド２１；２２；２３；２４を、生産にとって必要な順番で配置するために、折り構造体１１は、特に公知の折りローラ３２、引込ローラ３３ならびに変向ローラ３４を備えている。
【００３４】
ウェブ走行にとって理想的な、ウェブ０６；０７が単に真っ直ぐに延びていて、かつストランド２１；２２；２３；２４もしくはフォーマ１２；１３；１７；１８に１２個のウェブ０６；０７を均等に分配する場合、各ストランド２１；２２；２３；２４は３つのウェブ０６；０７を備えている。印刷ユニット０３；０４が、（図３において生じる印刷像の一例を示したように）１倍の周長さ（つまり周Ｕに１つの印刷面Ａたとえば１つの新聞頁Ａの区分長さａを有する）と、１倍の幅（つまり２つの印刷面Ａが１つのウェブ０６；０７もしくは１つのフォーマ１２；１３；１７；１８に並ぶ）とを有する印刷装置胴を備えている場合、印刷機と折り装置２７とによってそれぞれ１２頁から成る４つの冊子を備えた製品が製作可能である。さらにまた真っ直ぐに延びるウェブ０６；０７によって、様々な頁数から成る冊子を製作することもでき、ウェブ０６；０７が、それぞれ上下に配置されたフォーマ１２；１７；１３；１８に向かって、種々異なる厚さのストランド２１；２２；２３；２４にまとめられる。
【００３５】
２倍の周長さＵ（図４において生じる印刷像の一例を示した第２形態）を有する印刷ユニットの構造では、前述の条件（真っ直ぐ、均等な分配、１倍の幅）で、それぞれ最大で１２頁から成る最大で８つの冊子の製品を生産することができ、それも２つの印刷面Ａ；Ｂたとえば２つの新聞頁Ａ；Ｂの２つの区分長さａ；ｂが、２倍の周長さＵを有する印刷装置胴に沿って周方向で相前後して配置されていて、かつ折り装置２７が集合運転のために構成されている場合に生産することができる。
【００３６】
図４には、折り機構２６を備えた折り構造体１１の第１実施例（図１）の第２形態を示しており、ここでは折り機構２６は図３の第１形態とは異なって２つの折り装置２７；２８と２つの排出装置２９；３１とを備えている。このような構成では、ストランド２１；２２；２３；２４を両方の折り装置２７；２８の一方に共通案内して、比較的多数の頁数から成る１つの製品を生産すると、図３の第１形態の生産性が得られる。
【００３７】
追加的に、両方の折り機２７；２８にストランド２１；２２；２３；２４を分配することによって、同数または異数の冊子および／または頁から成る２つの製品を製作して、両方の排出装置２９；３１に排出することもできる。２倍の生産速度を達成するために、同じ製品をたとえばセクション１およびセクション２において同時に印刷し、折り構造体１１ならびに折り機構２６において並行的に完成させ、排出することもできる。
【００３８】
融通性を更に高めるために、本発明の有利な構成では、セクション０１；０２の少なくとも１つに、印刷機の全幅Ｇにわたって延びる（図１において破線で示した）少なくとも１つのターニングバー対３８；３９と、場合によっては設けられる長さ補償のための装置（図示していない）とを備えたターニングデッキ３６；３７が配置されている。
【００３９】
印刷機の基本装備によって、ターニングおよび側方移動なしに既に均等な分配がもたらされるので、１倍の周長さもしくは２倍の生産性を有する２倍の周長さの印刷ユニット０３；０４のための単に１つのウェブをターニングすることによって、一方では冊子に４頁増やすことも、また他方では４頁減らすこともできる。２倍の周長さの印刷ユニット０３；０４では、これに応じて全体の生産性は２倍である。
【００４０】
冊子の製作に関する可能性をさらに高めるために、フォーマ１２；１７；１３；１８の手前にウェブ０６；０７を縦裁ちするための装置（図示していない）を設けると有利である。したがって２頁（１倍の周長さもしくは２倍の生産）または４頁（２倍の周長さおよび集合生産）のスキップで冊子を製作することができる。
【００４１】
同じ版板を２つ装備して集合する必要なしに、製品の実現可能な頁数の段階付け、もしくは冊子構造の段階付けにおいて高い融通性を得ようとする場合、既に説明したように、１倍の周長さＵを有する印刷ユニット０３；０４もしくはその印刷装置胴、特に版胴の構成が有利である。たとえばウェブ０６；０７の全幅ｂ０６；ｂ０７（１／１）を有するロール１４；１６を、ウェブ０６；０７の半分（１／２）の幅のものなどに交換する際に、２頁のスキップ（いわゆる２頁とび）で段階付けすることができる。
【００４２】
着眼点をできるだけ多くの様々な製品を同時に生産するためのオプションにおくと、２倍の周長さを有する印刷ユニット０３；０４、ならびに場合によってはソータを備えた２つの折り装置２７；２８および４つの排出装置２９；３１の配置構成が有利である。
【００４３】
第１実施例のために挙げた数は、たとえば両面多色刷りのためのものであって、たとえばタワー０３；０４として形成された印刷ユニット０３；０４を用いて行う４色刷り印刷のためのものである。多色刷りに関するこのような高い要求が課せられない場合、１つのセクション０１；０２において、６つのウェブ０６；０７が印刷タワー０３；０４として形成された４つの印刷ユニット０３；０４を通走するようにすることもできる。同様にこの数よりも大小するウェブ０６；０７のためのセクション０１；０２を形成することもでき、この場合セクション０１；０２ごとの印刷ユニット０３；０４もしくは印刷タワー０３；０４の数は、色彩およびウェブ０６；０７の数の要求に応じて調整される。
【００４４】
図１に示した実施例とは異なって、たとえば適当なスペース条件で、セクション０１；０２を相並んで配置することもでき、この場合ウェブ０６；０７は同じ側から共通の、全幅Ｇにわたって延びる折り構造体１１に走行する。
【００４５】
第２実施例（図５）では、セクション０１；０２もしくは印刷装置の印刷ユニット０３；０４は、印刷装置胴の長手方向で２倍の幅、つまり４つの印刷像幅たとえば４つの新聞頁Ａ；Ｂを有する印刷装置胴を備えている。したがって有効幅ｂ０３；ｂ０４は、相並んで位置する少なくとも４つの印刷面もしくは版板、または２つのパノラマ版板に相当する。
【００４６】
両方のセクション０１；０２は、中央垂線Ｍ１；Ｍ２の平面に関して互いにずらされていて、印刷機の長手方向Ｌに関して、折り構造体１１の前後に配置されており、この折り構造体１１は、両方のセクション０１；０２に対応配置されている。
【００４７】
ここでは２倍の幅を有するウェブ０６；０７が、たとえば新聞を生産するのに必要なように、折り構造体１１に進入するまえに、図示していない装置によって縦裁ちされる場合、切断によって生じるウェブ４１；４２；４３；４４いわゆる部分ウェブ４１；４２；４３；４４もしくはこれによって形成される部分ウェブストランドの中央垂線Ｍ３；Ｍ４；Ｍ５，Ｍ６の平面は、これらのウェブが折り構造体１１にできるだけ真っ直ぐに進入するのに重要である。判りやすく示すために、セクション０１；０２ごとに、それぞれ２倍の幅を有する単に１つのウェブ０６；０７を示した。これらの２倍の幅を有するウェブ０６；０７は、図示していないカッタ装置によってそれぞれ２つの部分ウェブ４１；４２；４３；４４に切断される。
【００４８】
セクション０１；０２の側方のずれＶは、実質的に１つの部分ウェブ４２；４３の幅もしくは一度縦折りされた完成品の２倍の幅に相当する。同じ幅を有するセクション０１；０２もしくはウェブ０６；０７が設けられていて、かつ同じ幅を有する２つの部分ウェブ４１；４２；４３；４４に縦裁ちを行う場合には、ずれＶは、元来のウェブ０６；０７の幅ｂ０６；ｂ０７の半分に相当する。したがって平面Ｍ４は、平面Ｍ５と一致する。
【００４９】
２つのセクション０１；０２の間に、共通の折り構造体１１が配置されており、この折り構造体１１は、相並んで配置された少なくとも３つのフォーマ１２；１３；４６を備えている。有利には、折り構造体１１は、更なる３つのフォーマ１７；１８；４７、たとえばバルーンフォーマ１７；１８；４７を備えており、これらの別のフォーマ１７；１８；４７もまた相並んで、しかしながら最初に述べたフォーマ１２；１３；４６の上方に配置されている。フォーマ１２；１３；１７；１８；４６；４７は、平面Ｍ３；Ｍ４（＝Ｍ５）；Ｍ６に対して整合して配置されており、これによって折り構造体１１への部分ウェブストランド４１；４２；４３；４４の真っ直ぐな進入が実現される。
【００５０】
このような配置構成は、互いに整合して配置された２つのセクション０１；０２を備えた２倍の幅を有する印刷機の生産性を有していて、しかも３段の折り構造体と適当なターニングデッキとを備えた２倍の幅を有する、整合して配置された印刷機の場合に得られる生産多様性を有しており、または５番目、場合によっては６番目のストランドのための全ての部分ウェブを側方移動することによって得られる生産多様性を有している。この生産多様性は、３倍の幅を有する折り構造体を備えた３倍の幅を有する印刷機の生産多様性にほぼ相当する。
【００５１】
セクション０１；０２は、第１実施例（図１）のように、図示していないターニングデッキ３６；３７を備えており、これによって個々の部分ストランド４１；４２；４３；４４の厚さを、生産しようとする冊子の要求に適合させることができる。たとえば６つのフォーマ１２；１３；１７；１８；４６；４７を使用して同じ大きさの６つの冊子厚さを維持するために、たとえばセクション０１；０２ごとに、単に２つの部分ウェブ４２；４３または断裁されていない１つのウェブ０６；０７を、外側の部分ウェブ４１；４４もしくは外側のウェブ０６；０７にターニングするかもしくはずらせばよい。
【００５２】
第１実施例（図１）のように、ウェブ０６；０７は、ロール１４；１６を用いてセクション０１；０２に供給され、折り構造体１１の手前で図示していないハープローラを介してフォーマ１２；１３；１７；１８；４６；４７に供給される。製品排出は、図示していない適当な数の排出装置を備えた、同じく図示していない１、２もしくは３〜６個までの折り装置で行われる。生産は、第１実施例に基づく適当な原理を用いて行われる。
【００５３】
生産可能な比較的多数の冊子もしくは比較的大きな製品厚さもしくは比較的高い可変性を得るために、図５の両方のセクション０１；０２は、図１に相応して互いに完全にずらして配置することもできる。この場合折り構造体１１は、相並んで配置された４つのフォーマ１２；１３；４６を備えて構成されている。さらに有利な構成では、追加的に別の４つのフォーマ１７；１８；４７がその上方に配置されている。折り構造体１１は、有効全長Ｇにわたって延びている。
【００５４】
このような配置構成によって、１倍の周長さを有する胴を備えた印刷ユニット０３；０４では、同時に８冊までの冊子を、２倍の周長さを有する胴を備えた印刷ユニット０３；０４では、その集合運転時にそれぞれ１６冊までの冊子を同時に生産することができる。
【図面の簡単な説明】
【００５５】
【図１】本発明の印刷機の第１実施例を概略的に示す平面図である。
【００５６】
【図２】折り構造体に進入するウェブを概略的に示す図である。
【００５７】
【図３】図１の第１実施例による折り構造体および折り機構のための第１形態を示す図である。
【００５８】
【図４】図１の第１実施例による折り構造体および折り機構のための第２形態を示す図である。
【００５９】
【図５】第２実施例を概略的に示す平面図である。
【符号の説明】
【００６０】
０１，０２  セクション、  ０３，０４  印刷ユニット、タワー、印刷タワー、  ０６，０７  ウェブ、被印刷物ウェブ、  ０８，０９  端部、  １１  折り構造体、  １２，１３  フォーマ、  １４，１６  ロール、被印刷物ウェブ、  １７，１８  フォーマ、バルーンフォーマ、  １９  ハープローラ、  ２０  フォーマ引込ローラ、  ２１，２２，２３，２４  ストランド、  ２６折り機構、  ２７，２８  折り装置、  ２９，３１  排出装置、  ３２  折りローラ、  ３３  引込ローラ、  ３４  変向ローラ、  ３６，３７  ターニングデッキ、  ３８，３９  ターニングバー対、  ４１，４２，４３，４４  ウェブ、部分ウェブ、  ４６  フォーマ、  ４７  フォーマ、バルーンフォーマ、  ０６′，０７′  ウェブ、  ｂ０３，ｂ０４，ｂ０６，ｂ０７，ｂ０６′，ｂ０７′  幅、  ａ，ｂ  区分長さ、  Ａ，Ｂ  印刷面、新聞頁、  Ｇ  全幅、  Ｌ  長手方向、  Ｕ  印刷機構もしくは版胴の周長さ、  Ｖ  ずれ、  Ｍ１，Ｍ２，Ｍ３，Ｍ４，Ｍ５，Ｍ６  中央垂線の成す平面
【国際公開パンフレット】
2004532759.tif 000003
2004532759.tif 000004
2004532759.tif 000005
2004532759.tif 000006
2004532759.tif 000007
2004532759.tif 000008
2004532759.tif 000009
2004532759.tif 000010
2004532759.tif 000011
2004532759.tif 000012
2004532759.tif 000013
2004532759.tif 000014
2004532759.tif 000015
2004532759.tif 000016
2004532759.tif 000017
2004532759.tif 000018
2004532759.tif 000019
2004532759.tif 000020
2004532759.tif 000021
2004532759.tif 000022
2004532759.tif 000023
2004532759.tif 000024
2004532759.tif 000025
2004532759.tif 000026
2004532759.tif 000027
2004532759.tif 000028
2004532759.tif 000029
【国際調査報告】
2004532759.tif 000030
2004532759.tif 000031
2004532759.tif 000032
2004532759.tif 000033